【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
センサおよびアクチュエータアセンブリであって、前記センサおよびアクチュエータアセンブリは、
遠距離にあるユーザの存在を検出するように構成された赤外線センサと、
近距離にある前記ユーザの存在を検出するように構成された超音波センサであって、前記超音波センサは、前記赤外線センサが最初に前記遠距離にある前記ユーザの存在を検出した後の前記赤外線センサからの信号によって起動されるまでスリープモードのままである、超音波センサと、
前記超音波センサが前記ユーザの存在を検出したことの前記超音波センサからの信号に応答して、アクティブ化するアクチュエータメカニズムと
を備える、センサおよびアクチュエータアセンブリ。
【請求項２】
前記近距離は、８インチ未満である、請求項１に記載のセンサおよびアクチュエータアセンブリ。
【請求項３】
前記近距離は、３インチ未満である、請求項２に記載のセンサおよびアクチュエータアセンブリ。
【請求項４】
前記アクチュエータメカニズムは、便器を洗浄させる、請求項１に記載のセンサおよびアクチュエータアセンブリ。
【請求項５】
前記アクチュエータメカニズムは、蛇口をオンにさせる、請求項１に記載のセンサおよびアクチュエータアセンブリ。
【請求項６】
前記アクチュエータメカニズムは、機器をオンにさせる、請求項１に記載のセンサおよびアクチュエータアセンブリ。
【請求項７】
前記アクチュエータメカニズムは、
ソレノイドと、
前記ソレノイド内のプランジャロッドであって、前記ソレノイドを通過する電流によって移動させられるプランジャロッドと、
気送管または接続ケーブルであって、前記プランジャロッドの移動は、空気を前記気送管内で移動させ、または前記プランジャロッドの移動は、前記接続ケーブルを移動させ、前記気送管内の前記空気の移動または前記接続ケーブルの移動は、前記便器を洗浄させる、気送管または接続ケーブルと
を備える、請求項４に記載のセンサおよびアクチュエータアセンブリ。
【請求項８】
筐体をさらに備え、前記赤外線センサ、前記超音波センサ、および前記ソレノイドは全て、前記筐体内部に配置される、請求項７に記載のセンサおよびアクチュエータアセンブリ。
【請求項９】
前記筐体は、便器タンク壁を通過する、請求項８に記載のセンサおよびアクチュエータアセンブリ。
【請求項１０】
前記アセンブリはさらに、電力を前記赤外線センサおよび前記超音波センサに供給するバッテリ電源を備える、請求項８に記載のセンサおよびアクチュエータアセンブリ。
【請求項１１】
バッテリキャニスタをさらに備え、前記バッテリキャニスタは、前記筐体に接続され、前記バッテリキャニスタは、便器タンク内部に配置される、請求項１０に記載のセンサおよびアクチュエータアセンブリ。
【請求項１２】
前記アセンブリはさらに、マイクロコントローラを備え、前記マイクロコントローラは、前記ユーザが検出されたことの前記赤外線センサからの前記信号を受信し、次いで、前記スリープモードから前記超音波センサを起動させるために、信号を前記超音波センサに送信する、請求項１に記載のセンサおよびアクチュエータアセンブリ。
【請求項１３】
デバイスを作動させる方法であって、前記方法は、
赤外線センサを使用して遠距離にあるユーザの存在を検出することと、
超音波センサを用いて近距離にある前記ユーザの存在を検出することであって、前記超音波センサは、前記赤外線センサが最初に前記遠距離にある前記ユーザの存在を検出した後の前記赤外線センサからの信号によって起動されるまでスリープモードのままである、ことと、
前記超音波センサが前記ユーザの存在を検出することに応答して、アクチュエータメカニズムをアクティブ化することと
を含む、方法。
【請求項１４】
前記超音波センサは、前記赤外線センサが最初に前記ユーザの存在を検出した後の前記赤外線センサからの信号によって起動されるまでスリープモードのままである、請求項１３に記載の方法。
【請求項１５】
前記アクチュエータメカニズムをアクティブ化することは、便器を洗浄させる、請求項１３に記載の方法。
【請求項１６】
前記赤外線センサは、遠距離にある前記ユーザの存在を検出し、前記超音波センサは、近距離にある前記ユーザの存在を検出する、請求項１３に記載の方法。
【手続補正２】
【補正対象書類名】明細書
【補正対象項目名】００１１
【補正方法】変更
【補正の内容】
【００１１】
好ましい実施形態では、本発明は、（ａ）物体の存在を検出するように構成された赤外線センサと、（ｂ）物体の存在を検出するように構成された超音波センサであって、赤外線センサが最初に物体の存在を検出した後の赤外線センサからの信号によって起動されるまでスリープモードのままである、超音波センサと、（ｃ）超音波センサが物体の存在を検出したことの超音波センサからの信号に応答して、アクティブ化するアクチュエータメカニズムとを備えるセンサおよびアクチュエータアセンブリを提供する。好ましくは、赤外線センサは、遠距離にある物体の存在を検出するように構成され、超音波センサは、近距離にある物体の存在を検出するように構成される。
本発明は、例えば、以下を提供する。
（項目１）
センサおよびアクチュエータアセンブリであって、前記センサおよびアクチュエータアセンブリは、
ユーザの存在を検出するように構成された赤外線センサと、
前記ユーザの存在を検出するように構成された超音波センサと、
前記超音波センサが前記ユーザの存在を検出したことの前記超音波センサからの信号に応答して、アクティブ化するアクチュエータメカニズムと
を備える、センサおよびアクチュエータアセンブリ。
（項目２）
前記超音波センサは、前記赤外線センサが最初に前記ユーザの存在を検出した後の前記赤外線センサからの信号によって起動されるまでスリープモードのままである、項目１に記載のセンサおよびアクチュエータアセンブリ。
（項目３）
前記赤外線センサは、遠距離にある前記ユーザの存在を検出し、前記超音波センサは、近距離にある前記ユーザの存在を検出する、項目１に記載のセンサおよびアクチュエータアセンブリ。
（項目４）
前記近距離は、８インチ未満である、項目１に記載のセンサおよびアクチュエータアセンブリ。
（項目５）
前記近距離は、３インチ未満である、項目４に記載のセンサおよびアクチュエータアセンブリ。
（項目６）
前記アクチュエータメカニズムは、便器を洗浄させる、項目１に記載のセンサおよびアクチュエータアセンブリ。
（項目７）
前記アクチュエータメカニズムは、蛇口をオンにさせる、項目１に記載のセンサおよびアクチュエータアセンブリ。
（項目８）
前記アクチュエータメカニズムは、機器をオンにさせる、項目１に記載のセンサおよびアクチュエータアセンブリ。
（項目９）
前記アクチュエータメカニズムは、
ソレノイドと、
前記ソレノイド内のプランジャロッドであって、前記ソレノイドを通過する電流によって移動させられるプランジャロッドと、
気送管または接続ケーブルであって、前記プランジャロッドの移動は、空気を前記気送管内で移動させ、または前記プランジャロッドの移動は、前記接続ケーブルを移動させ、前記気送管内の前記空気の移動または前記接続ケーブルの移動は、前記便器を洗浄させる、気送管または接続ケーブルと
を備える、項目６に記載のセンサおよびアクチュエータアセンブリ。
（項目１０）
筐体をさらに備え、前記赤外線センサ、前記超音波センサ、および前記ソレノイドは全て、前記筐体内部に配置される、項目９に記載のセンサおよびアクチュエータアセンブリ。
（項目１１）
前記筐体は、便器タンク壁を通過する、項目１０に記載のセンサおよびアクチュエータアセンブリ。
（項目１２）
前記アセンブリはさらに、電力を前記赤外線センサおよび前記超音波センサに供給するバッテリ電源を備える、項目１０に記載のセンサおよびアクチュエータアセンブリ。
（項目１３）
バッテリキャニスタをさらに備え、前記バッテリキャニスタは、前記筐体に接続され、前記バッテリキャニスタは、便器タンク内部に配置される、項目１２に記載のセンサおよびアクチュエータアセンブリ。
（項目１４）
前記アセンブリはさらに、マイクロコントローラを備え、前記マイクロコントローラは、前記ユーザが検出されたことの前記赤外線センサからの前記信号を受信し、次いで、前記スリープモードから前記超音波センサを起動させるために、信号を前記超音波センサに送信する、項目１に記載のセンサおよびアクチュエータアセンブリ。
（項目１５）
センサおよびアクチュエータアセンブリであって、前記センサおよびアクチュエータアセンブリは、
ユーザの存在を検出するように構成された超音波センサと、
前記超音波センサが前記ユーザの存在を検出すると、前記超音波センサからの信号に応答して、便器を洗浄する水洗アクチュエータメカニズムと
を備える、センサおよびアクチュエータアセンブリ。
（項目１６）
デバイスを作動させる方法であって、前記方法は、
赤外線センサを使用してユーザの存在を検出することと、
超音波センサを用いて前記ユーザの存在を検出することと、
前記超音波センサが前記ユーザの存在を検出することに応答して、アクチュエータメカニズムをアクティブ化することと
を含む、方法。
（項目１７）
前記超音波センサは、前記赤外線センサが最初に前記ユーザの存在を検出した後の前記赤外線センサからの信号によって起動されるまでスリープモードのままである、項目１６に記載の方法。
（項目１８）
前記アクチュエータメカニズムをアクティブ化することは、便器を洗浄させる、項目１６に記載の方法。
（項目１９）
前記赤外線センサは、遠距離にある前記ユーザの存在を検出し、前記超音波センサは、近距離にある前記ユーザの存在を検出する、項目１６に記載の方法。